(57)【特許請求の範囲】
【請求項１】
フィールド機器の管理及び制御を行う管理制御手段と、フィールド機器毎に設けられて前記管理制御手段の指示に応じてフィールド機器を操作する操作手段とを備える機器管理装置において、
前記管理制御手段によって指示される複数のフィールド機器に対し、当該フィールド機器に共通して設定すべき共通パラメータの設定を指示する設定指示手段と、
前記設定指示手段の指示に基づいて当該フィールド機器毎に設けられた操作手段に当該フィールド機器をそれぞれ操作させ、当該フィールド機器に対する前記共通パラメータの設定を順次実行させる実行制御手段と
を備えており、
前記設定指示手段は、前記管理制御手段によって当該フィールド機器が指示された場合に、前記実行制御手段に指示を行って、当該フィールド機器で用いられているパラメータを取得する取得手段と、
前記取得手段で取得されたパラメータから前記共通パラメータを抽出する抽出手段と
を備えることを特徴とする機器管理装置。
【請求項２】
前記実行制御手段は、前記取得手段の指示に基づいて、当該フィールド機器毎に設けられた操作手段に当該フィールド機器を操作させて前記パラメータを取得させることを特徴とする請求項１記載の機器管理装置。
【請求項３】
前記抽出手段は、前記取得手段が取得したパラメータから、種類が同じパラメータ、又は、種類及び値が同じパラメータを、前記共通パラメータとして抽出することを特徴とする請求項１又は請求項２記載の機器管理装置。
【請求項４】
前記設定指示手段は、当該フィールド機器を示す情報とともに前記抽出手段で抽出された前記共通パラメータを変更可能な態様で表示装置に表示し、入力装置から共通パラメータの設定指示が入力された場合に、前記表示装置に表示されている共通パラメータの設定を指示することを特徴とする請求項１から請求項３の何れか一項に記載の機器管理装置。
【請求項５】
前記操作手段は、前記フィールド機器毎に設けられたＤＴＭであり、
前記実行制御手段は、当該フィールド機器毎に設けられた前記ＤＴＭに当該フィールド機器をそれぞれ操作させることにより、前記ＤＴＭを１つの仮想的なＤＴＭとして取り扱うことを可能とする仮想ＤＴＭである
ことを特徴とする請求項１から請求項４の何れか一項に記載の機器管理装置。
【請求項６】
コンピュータを、
フィールド機器の管理及び制御を行う管理制御手段と、
フィールド機器毎に設けられて前記管理制御手段の指示に応じてフィールド機器を操作する操作手段と、
前記管理制御手段によって指示される複数のフィールド機器に対し、当該フィールド機器に共通して設定すべき共通パラメータの設定を指示する設定指示手段と、
前記設定指示手段の指示に基づいて当該フィールド機器毎に設けられた操作手段に当該フィールド機器をそれぞれ操作させ、当該フィールド機器に対する前記共通パラメータの設定を順次実行させる実行制御手段と、
前記管理制御手段によって当該フィールド機器が指示された場合に、前記実行制御手段に指示を行って、当該フィールド機器で用いられているパラメータを取得する取得手段と、
前記取得手段で取得されたパラメータから前記共通パラメータを抽出する抽出手段と
して機能させる機器管理プログラムを記録したコンピュータ読み取り可能な記録媒体。
【発明の詳細な説明】
【技術分野】
【０００１】
本発明は、フィールド機器の管理を行う機器管理装置、及び当該装置の機能を実現するプログラムを記録したコンピュータ読み取り可能な記録媒体に関する。
【背景技術】
【０００２】
従来から、プラントや工場等においては、高度な自動操業を実現すべく、フィールド機器と呼ばれる現場機器(測定器、操作器)と、これらの管理及び制御を行う機器管理装置とが通信バスを介して接続された分散制御システム（ＤＣＳ：Distributed Control System）が構築されている。このようなプラントには様々なメーカーから提供されるフィールド機器が設置されることが多いが、仕様が異なるフィールド機器が混在すると管理が困難になる。
【０００３】
そこで、近年では、ＦＤＴ（Field Device Tool）／ＤＴＭ（Device Type Manager）技術を用いた機器管理装置、或いは、ＥＤＤＬ（Electronic Device Description Language）技術を用いた機器管理装置を用いて、様々なメーカーから提供されるフィールド機器の仕様の相違を吸収して統一的な管理を実現している。ここで、上記のＦＤＴとは、通信バスや通信プロトコルの種類に依存せずに機器管理装置とフィールド機器との間でデータ交換を行うためのオープンなインターフェイス仕様をいい、上記のＤＴＭとは、フィールド機器に対して実際に通信、設定、診断等を行うアプリケーションをいう。また、上記のＥＤＤＬは、フィールド機器の特性や属性を記述する言語である。
【０００４】
機器管理装置は、仕様又は機能の変更や追加等を容易にするために、ソフトウェア的に実現されることが一般的である。つまり、フィールド機器の管理・制御を行うメインアプリケーションのプログラムと、上述したＦＤＴ／ＤＴＭ技術等を用いて作成され、メインアプリケーションの指示に応じてフィールド機器との間で通信等を行うサブアプリケーションのプログラムとを、コンピュータにインストールすることにより実現される。尚、ＦＤＴ／ＤＴＭ技術を用いてプラント等に設置されるフィールド機器の管理及び制御を行う機器管理装置の詳細については、例えば以下の特許文献１を参照されたい。
【先行技術文献】
【特許文献】
【０００５】
【特許文献１】特表２０１０−５３７５１３号公報
【発明の概要】
【発明が解決しようとする課題】
【０００６】
ところで、従来の機器管理装置において、フィールド機器に対するパラメータの設定を行う場合には、機器管理装置を操作する管理者がメインアプリケーション上でパラメータの設定を行うフィールド機器を選択し、そのフィールド機器に設定すべきパラメータを入力するという作業を繰り返し行う必要がある。これは、以下の理由による。つまり、上述したＦＤＴ／ＤＴＭ技術を例に挙げると、ＤＴＭはフィールド機器毎に異なるアプリケーションであるため、このアプリケーションとの間で情報のやりとりを行うフレームアプリケーション（ＦＤＴに準拠したＤＴＭを管理するソフトウェア）を別々に（別プロセス）で起動させる必要があるからである。
【０００７】
ここで、フィールド機器のパラメータは、機種や通信プロトコルによって異なるばかりではなく、同じ機種であってもメーカーやベンダに特化した情報が組み込まれることがあるため様々である。このため、上述したＤＴＭは、機種や機能が異なるフィールド機器毎に設けられるのは勿論のこと、機種や機能が似たようなフィールド機器であっても異なるものが設けられることがある。よって、例えば、多少機能が異なる複数のフィールド機器に共通するパラメータの設定を行う場合であっても、上述した作業を繰り返し行う必要があり、管理者には極めて煩雑な作業が強いられるという問題があった。
【０００８】
また、パラメータを設定すべきフィールド機器が数台程度であれば、上述した作業の回数が数回〜十数回程度で済むため、作業ミスが生ずる可能性は低いと考えられる。しかしながら、パラメータを設定すべきフィールド機器の台数増加に伴って、必要となる作業の回数が飛躍的に増加することから、管理者の作業ミスが生ずる可能性が高くなり、プラント等の安定稼働や効率等に影響を及ぼす可能性が考えられる。
【０００９】
本発明は上記事情に鑑みてなされたものであり、複数のフィールド機器に共通するパラメータを容易に設定することができ、これによりプラント等の安定性及び効率の向上を図ることができる機器管理装置、及び当該装置の機能を実現するプログラムを記録したコンピュータ読み取り可能な記録媒体を提供することを目的とする。
【課題を解決するための手段】
【００１０】
上記課題を解決するために、本発明の機器管理装置は、フィールド機器（１ａ〜１ｃ）の管理及び制御を行う管理制御手段（１０）と、フィールド機器毎に設けられて前記管理制御手段の指示に応じてフィールド機器を操作する操作手段（３０ａ〜３０ｃ）とを備える機器管理装置（２）において、前記管理制御手段によって指示される複数のフィールド機器に対し、当該フィールド機器に共通して設定すべき共通パラメータの設定を指示する設定指示手段（２１）と、前記設定指示手段の指示に基づいて当該フィールド機器毎に設けられた操作手段に当該フィールド機器をそれぞれ操作させ、当該フィールド機器に対する前記共通パラメータの設定を順次実行させる実行制御手段（２２）とを備えることを特徴としている。
この発明によると、管理制御手段によって指示された複数のフィールド機器に対する共通パラメータの設定指示が設定指示手段によってなされ、この設定指示手段の指示に基づいて実行制御手段により操作手段が順次制御されて、管理制御手段によって指示された複数のフィールド機器に対する共通パラメータの設定が順次行われる。
また、本発明の機器管理装置は、前記設定指示手段が、前記管理制御手段によって当該フィールド機器が指示された場合に、前記実行制御手段に指示を行って、当該フィールド機器で用いられているパラメータを取得する取得手段（２１ａ）と、前記取得手段で取得されたパラメータから前記共通パラメータを抽出する抽出手段（２１ｂ）とを備えることを特徴としている。
また、本発明の機器管理装置は、前記実行制御手段が、前記取得手段の指示に基づいて、当該フィールド機器毎に設けられた操作手段に当該フィールド機器を操作させて前記パラメータを取得させることを特徴としている。
また、本発明の機器管理装置は、前記抽出手段が、前記取得手段が取得したパラメータから、種類が同じパラメータ、又は、種類及び値が同じパラメータを、前記共通パラメータとして抽出することを特徴としている。
また、本発明の機器管理装置は、前記設定指示手段が、当該フィールド機器を示す情報とともに前記抽出手段で抽出された前記共通パラメータを変更可能な態様で表示装置（２ｂ）に表示し、入力装置（２ａ）から共通パラメータの設定指示が入力された場合に、前記表示装置に表示されている共通パラメータの設定を指示することを特徴としている。
本発明の記録媒体は、コンピュータを、フィールド機器（１ａ〜１ｃ）の管理及び制御を行う管理制御手段（１０）と、フィールド機器毎に設けられて前記管理制御手段の指示に応じてフィールド機器を操作する操作手段（３０ａ〜３０ｃ）と、前記管理制御手段によって指示される複数のフィールド機器に対し、当該フィールド機器に共通して設定すべき共通パラメータの設定を指示する設定指示手段（２１）と、前記設定指示手段の指示に基づいて当該フィールド機器毎に設けられた操作手段に当該フィールド機器をそれぞれ操作させ、当該フィールド機器に対する前記共通パラメータの設定を順次実行させる実行制御手段（２２）として機能させる機器管理プログラムを記録することを特徴としている。
【発明の効果】
【００１１】
本発明によれば、管理制御手段によって指示された複数のフィールド機器に対する共通パラメータの設定指示を設定指示手段が行い、この設定指示手段の指示に基づいて実行制御手段が操作手段を順次制御して、管理制御手段によって指示された複数のフィールド機器に対する共通パラメータの設定を順次行っているため、複数のフィールド機器に共通するパラメータを容易に設定することができるという効果がある。また、パラメータを設定する作業の回数が低減するため、作業ミスを少なくすることができ、その結果としてプラント等の安定性及び効率の向上を図ることができるという効果がある。
【図面の簡単な説明】
【００１２】
【図１】本発明の一実施形態による機器管理装置が用いられる機器管理システムの全体構成を示すブロック図である。
【図２】本発明の一実施形態による機器管理装置で実現される主な機能を示す機能ブロック図である。
【図３】本発明の一実施形態による機器管理装置のパラメータ設定時の動作を示すフローチャートである。
【図４】本発明の一実施形態による機器管理装置に表示されるメイン画面の一例を示す図である。
【図５】本発明の一実施形態による機器管理装置に表示される共通パラメータ設定画面の一例を示す図である。
【図６】本発明の一実施形態による機器管理装置に表示される共通パラメータ設定画面の第１変形例を示す図である。
【図７】本発明の一実施形態による機器管理装置に表示される共通パラメータ設定画面の第２変形例を示す図である。
【発明を実施するための形態】
【００１３】
以下、図面を参照して本発明の一実施形態による機器管理装置及び記録媒体について詳細に説明する。図１は、本発明の一実施形態による機器管理装置が用いられる機器管理システムの全体構成を示すブロック図である。図１に示す通り、機器管理システムＭＳは、通信バスＢを介して接続されたフィールド機器１ａ〜１ｃ及び機器管理装置２を備えており、機器管理装置２がフィールド機器１ａ〜１ｃとの間で通信バスＢを介した通信を行ってフィールド機器１ａ〜１ｃの管理及び制御を行う。尚、図１では、説明を簡単にするために、３台のフィールド機器１ａ〜１ｃを図示しているが、通信バスＢに接続されるフィールド機器の台数は任意である。
【００１４】
フィールド機器１ａ〜１ｃは、例えば流量計や温度センサ等のセンサ機器、流量制御弁や開閉弁等のバルブ機器、ファンやモータ等のアクチュエータ機器、その他のプラントや工場の現場に設置される機器である。これらフィールド機器１ａ〜１ｃの動作は、機器管理装置２から通信バスＢを介して送信されてくる制御データに基づいて制御される。また、フィールド機器１ａ〜１ｃで得られた測定データは通信バスＢを介して機器管理装置２に収集される。
【００１５】
通信バスＢは、プラント等に敷設される有線の通信バスであり、プラント等の現場に設置されるフィールド機器１ａ〜１ｃと、例えばプラント等の管理室に設置される機器管理装置２とを接続する。この通信バスＢとしては、例えばファンデーションフィールドバス（Foundation Fieldbus：登録商標）、ＨＡＲＴ（Highway Addressable Remote Transducer：登録商標）、プロフィバス（PROFIBUS：登録商標）、又はＢＲＡＩＮ等で規定されるシリアル通信バスを用いることができる。
【００１６】
機器管理装置２は、通信バスＢを介してフィールド機器１ａ〜１ｃとの間で各種パラメータの授受を行いながらフィールド機器１ａ〜１ｃの管理及び制御を行う。例えば、フィールド機器１ａ〜１ｃに設定されているパラメータを取得して現状の測定条件を把握するとともに、新たなパラメータをフィールド機器１ａ〜１ｃに設定することによって測定条件の変更等を行う。尚、機器管理装置２は、管理者（機器管理システムＭＳの管理者）によって操作される。
【００１７】
この機器管理装置２は、例えばキーボード等の入力装置２ａ、液晶表示装置等の表示装置２ｂ、及びドライブ装置２ｃ等を備えるノート型又はデスクトップ型のパーソナルコンピュータ等で実現される。ドライブ装置２ｃは、例えばＣＤ−ＲＯＭ又はＤＶＤ（登録商標）−ＲＯＭ等のコンピュータ読み取り可能な記録媒体Ｍに記録されているデータの読み出しを行う装置である。尚、機器管理装置２の機能（フィールド機器１ａ〜１ｃを管理及び制御する機能）は、記録媒体Ｍに記録されたプログラムをドライブ装置２ｃによって読み出してインストールすることによりソフトウェア的に実現される。
【００１８】
図２は、本発明の一実施形態による機器管理装置で実現される主な機能を示す機能ブロック図である。図２に示す通り、機器管理装置２では、管理制御部１０（管理制御手段）、ＤＴＭ制御部２０、及びＤＴＭ３０ａ〜３０ｃ（操作手段）が実現される。尚、これら図２に示す機能は、図１に示す記録媒体Ｍから読み出されてインストールされたプログラムが、管理者の指示に応じて実行されることにより実現される。
【００１９】
管理制御部１０は、フィールド機器１ａ〜１ｃの管理及び制御を統括して行う。具体的には、フィールド機器１ａ〜１ｃに関する各種情報（機器情報、修理履歴情報）等をデータベース化して一元管理する。また、管理者が操作可能なウィンドウ画面（図４に示すメイン画面Ｗ１）を表示装置２ｂ（図１参照）に表示して、フィールド機器１ａ〜１ｃに関する各種情報をそのウィンドウ画面を介して管理者に提供するとともに、そのウィンドウ画面に対する管理者の操作指示に応じたフィールド機器１ａ〜１ｃの制御を行う。更には、通信バスＢに接続されたフィールド機器１ａ〜１ｃの状態監視や診断をオンラインで行う。
【００２０】
ＤＴＭ制御部２０は、パラメータ設定部２１（設定指示手段）及び仮想ＤＴＭ２２（実行制御手段）を備えており、管理制御部１０の指示に基づいてＤＴＭ３０ａ〜３０ｃを制御して、管理制御部１０の指示に応じた操作をフィールド機器１ａ〜１ｃに対して行う。ここで、フィールド機器１ａ〜１ｃに対して行う操作としては、例えばフィールド機器１ａ〜１ｃからのパラメータの取得、フィールド機器１ａ〜１ｃに対する新たなパラメータの設定、上述したオンラインでのフィールド機器１ａ〜１ｃの状態監視や診断等が挙げられる。尚、ＤＴＭ制御部２０は、ＦＤＴに準拠して作成されている。
【００２１】
パラメータ設定部２１は、通信バスＢに接続されたフィールド機器１ａ〜１ｃのうち、管理制御部１０によって指示されるフィールド機器に対するパラメータの設定を指示する。このパラメータ設定部２１は、フィールド機器１ａ〜１ｃ毎に個別にパラメータを設定する指示を行うことも、フィールド機器１ａ〜１ｃに共通したパラメータ（共通パラメータ）を一括して設定する指示を行うことも可能である。
【００２２】
具体的に、パラメータ設定部２１は、パラメータ取得部２１ａ（取得手段）及び共通パラメータ抽出部２１ｂ（抽出手段）を備える。パラメータ取得部２１ａは、仮想ＤＴＭ２２に指示を行って、管理制御部１０によって指定されるフィールド機器で用いられているパラメータを取得する。ここで、管理制御部１０によって複数のフィールド機器が指定された場合には、仮想ＤＴＭ２２に対して指定された全てのフィールド機器からパラメータを取得すべき旨を指示を行う。
【００２３】
共通パラメータ抽出部２１ｂは、パラメータ取得部２１ａが取得したパラメータから、管理制御部１０によって指定されたフィールド機器に共通する共通パラメータを抽出する。ここで、共通パラメータ抽出部２１ｂは、パラメータ取得部２１ａが取得したパラメータから、種類が同じパラメータ、又は、種類及び値が同じパラメータを共通パラメータとして抽出する。尚、上記のパラメータのうちの何れのパラメータを共通パラメータとして抽出するかは、パラメータ設定部２１によって指示される。
【００２４】
以上のパラメータ設定部２１は、管理者が操作可能なウィンドウ画面（例えば、図５に示す共通パラメータ設定画面Ｗ２）を表示装置２ｂに表示し、通信バスＢに接続されたフィールド機器１ａ〜１ｃを示す情報とともに、共通パラメータ抽出部２１ｂで抽出された共通パラメータを管理者が変更可能な態様でそのウィンドウ画面内に表示する。また、パラメータ設定部２１は、そのウィンドウ画面に対して共通パラメータの設定指示が管理者からなされた場合には、そのウィンドウ画面に表示されている共通パラメータの設定を設定すべき旨の指示を仮想ＤＴＭ２２に対して行う。
【００２５】
仮想ＤＴＭ２２は、パラメータ設定部２１の指示に基づいてＤＴＭ３０ａ〜３０ｃを制御して、パラメータ設定部２１の指示に応じたフィールド機器１ａ〜１ｃに対する操作をそれぞれ実行させる。例えば、フィールド機器１ａ〜１ｃのパラメータを取得すべき旨の指示がパラメータ設定部２１でなされた場合には、ＤＴＭ３０ａ〜３０ｃを順に制御してフィールド機器１ａ〜１ｃからパラメータを取得させる。また、フィールド機器１ａ〜１ｃに対して共通パラメータを設定すべき旨の指示がパラメータ設定部２１でなされた場合には、ＤＴＭ３０ａ〜３０ｃを順に制御してフィールド機器１ａ〜１ｃに対して共通パラメータを設定させる。
【００２６】
仮想ＤＴＭ２２は、フィールド機器１ａ〜１ｃ毎に設けられるＤＴＭ３０ａ〜３０ｃを一括して制御することにより、パラメータ設定部２１が、ＤＴＭ３０ａ〜３０ｃをいわば１つの仮想的なＤＴＭとして取り扱うことを可能にするものである。かかる取り扱いが可能になることで、従来のように、ＤＴＭとの間で情報のやりとりを行うフレームアプリケーションを別々に（別プロセス）で起動させる必要がなくなる。
【００２７】
ＤＴＭ３０ａ〜３０ｃは、フィールド機器１ａ〜１ｃ毎に設けられ、ＤＴＭ制御部２０の制御の下で、管理制御部１０の指示に応じたフィールド機器１ａ〜１ｃに対する操作をそれぞれ行う。具体的に、ＤＴＭ３０ａ〜３０ｃは、ＤＴＭ制御部２０の制御の下で、フィールド機器１ａ〜１ｃからのパラメータの取得、フィールド機器１ａ〜１ｃに対する新たなパラメータの設定、フィールド機器１ａ〜１ｃの状態監視や診断等をそれぞれ個別に行う。
【００２８】
次に、上記構成における機器管理装置２の動作について説明する。図３は、本発明の一実施形態による機器管理装置のパラメータ設定時の動作を示すフローチャートである。機器管理装置２の電源が投入されている状態においては、管理制御部１０によって図４に示すメイン画面Ｗ１が表示装置２ｂに表示されており、通信バスＢに接続されたフィールド機器１ａ〜１ｃに関する各種情報がメイン画面Ｗ１に表示されている。
【００２９】
図４は、本発明の一実施形態による機器管理装置に表示されるメイン画面の一例を示す図である。図４に例示するメイン画面Ｗ１には、プロトコル表示領域Ｒ１とデバイス表示領域Ｒ２とが設けられている。プロトコル表示領域Ｒ１は、通信バスＢに接続されたフィールド機器１ａ〜１ｃで使用可能な通信プロトコルが一覧表示される領域である。デバイス表示領域Ｒ２は、プロトコル表示領域Ｒ１に一覧表示された通信プロトコルのうち、管理者の操作によって選択された通信プロトコルを使用可能なフィールド機器が一覧表示される領域である。尚、図４に示すメイン画面Ｗ１のデバイス表示領域Ｒ２には、フィールド機器１ａ，１ｂ，１ｃの名称である「ＥＪＸ（登録商標）１１０Ａ」，「ＥＪＸ１１０Ｂ」，「ＥＪＸ１１０Ｃ」が表示されている。
【００３０】
いま、図４に示すメイン画面Ｗ１が表示装置２ｂに表示されている状態で、管理者が入力装置２ａによって、メイン画面Ｗ１のデバイス表示領域Ｒ２に表示されているフィールド機器を選択する操作を行ったとする。すると、管理者の操作に応じたフィールド機器がパラメータの変更を行うフィールド機器として管理制御部１０に選択される（ステップＳ１１）。尚、ここでは、デバイス表示領域Ｒ２に表示されている「ＥＪＸ１１０Ａ」，「ＥＪＸ１１０Ｂ」，「ＥＪＸ１１０Ｃ」の全てを選択する操作が管理者によって行われ、図１に示すフィールド機器１ａ〜１ｃの全てがパラメータの変更を行うフィールド機器として管理制御部１０によって選択されたとする。
【００３１】
パラメータの変更を行うフィールド機器が選択されると、選択されたフィールド機器を示す情報が管理制御部１０からパラメータ設定部２１に出力される。具体的に、フィールド機器１ａ〜１ｃの各々に一意に割り当てられている機器ＩＤ、フィールド機器１ａ〜１ｃの種類や改変番号を示す機器タイプや機器リビジョン、及びフィールド機器１ａ〜１ｃで使用可能な通信プロトコルを示す情報が、上記の選択されたフィールド機器を示す情報として管理制御部１０からパラメータ設定部２１に出力される。
【００３２】
管理制御部１０からの情報がパラメータ設定部２１に入力されると、パラメータ取得部２１ａから仮想ＤＴＭ２２に対してパラメータ取得の指示がなされ、管理制御部１０で選択されたフィールド機器（フィールド機器１ａ〜１ｃ）のパラメータ情報を取得する処理が行われる（ステップＳ１２）。具体的に、パラメータ取得部２１ａから仮想ＤＴＭ２２に対するパラメータ取得の指示がなされると、仮想ＤＴＭ２２は、まずＤＴＭ３０ａを制御してフィールド機器１ａで用いられるパラメータを取得する操作を行わせる。次に、仮想ＤＴＭ２２は、ＤＴＭ３０ｂを制御してフィールド機器１ｂで用いられるパラメータを取得する操作を行わせ、次いで、ＤＴＭ３０ｃを制御してフィールド機器１ｃで用いられるパラメータを取得する操作を行わせる。このような仮想ＤＴＭ２２の制御によって取得されたパラメータは、仮想ＤＴＭ２２からパラメータ設定部２１に渡されてパラメータ取得部２１ａによって取得される。
【００３３】
パラメータの取得が完了すると、共通パラメータ抽出部２１ｂによって、取得したパラメータから共通パラメータを抽出する処理が行われる（ステップＳ１３）。具体的には、フィールド機器１ａ〜１ｃから取得したパラメータのうちから、パラメータ設定部２１の指示に基づいて種類及び値が同じパラメータを共通パラメータとして抽出する処理が行われる。例えば、フィールド機器１ａ〜１ｃが温度計であるとし、フィールド機器１ａ〜１ｃの全てから温度の測定範囲の上限値を示すパラメータが取得された場合を考える。かかる場合に、それらパラメータの値（設定値）が全て同じであれば、そのパラメータは共通パラメータとして抽出されるが、値が異なるものが１つでもあれば共通パラメータとしては抽出されない。
【００３４】
共通パラメータの抽出処理が完了すると、パラメータ設定部２１によって、図５に示す共通パラメータ設定画面Ｗ２が表示装置２ｂに表示され、抽出された共通パラメータが表示される（ステップＳ１４）。図５は、本発明の一実施形態による機器管理装置に表示される共通パラメータ設定画面の一例を示す図である。図５に例示する共通パラメータ設定画面Ｗ２には、選択デバイス表示領域Ｒ１１、共通パラメータ表示領域Ｒ１２、及び適用ボタンＢＴ１が設けられている。
【００３５】
選択デバイス表示領域Ｒ１１は、図４に示すメイン画面Ｗ１で選択されたフィールド機器が一覧表示される領域である。共通パラメータ表示領域Ｒ１２は、共通パラメータ抽出部２１ｂで抽出された共通パラメータが表示される領域である。また、適用ボタンＢＴ１は、共通パラメータ設定画面Ｗ２の選択デバイス表示領域Ｒ１１に表示されているフィールド機器に対して、共通パラメータ表示領域Ｒ１２に表示されている共通パラメータを設定させる指示を行うためのボタンである。
【００３６】
図５に示す選択デバイス表示領域Ｒ１１には、図４に示すメイン画面Ｗ１で選択されたフィールド機器１ａ，１ｂ，１ｃの名称である「ＥＪＸ１１０Ａ」，「ＥＪＸ１１０Ｂ」，「ＥＪＸ１１０Ｃ」が表示されている。また、図５に示す共通パラメータ表示領域Ｒ１２には、温度の単位（Unit）を示すパラメータ、温度の測定範囲の上限値（Upper RANGE）を示すパラメータ、及び温度の測定範囲の下限値（Lower RANGE）を示すパラメータが、共通パラメータとして表示されている。
【００３７】
ここで、共通パラメータの値は、変更可能な態様で共通パラメータ設定画面Ｗ２に表示される。つまり、共通パラメータの値は入力ボックスＢＸ１〜ＢＸ３に表示されており、管理者が入力ボックスＢＸ１〜ＢＸ３の値を変更する操作を行えば共通パラメータの値を変更することができる。尚、ここでは、説明を簡単にするために、抽出された共通パラメータの表示のみが行われる場合を例に挙げて説明するが、フィールド機器１ａ〜１ｃから取得したパラメータのうちの共通パラメータ以外のパラメータを、まとめて他のパラメータ表示画面に表示しても良い。
【００３８】
図５に示す共通パラメータ設定画面Ｗ２が表示装置２ｂに表示されると、共通パラメータ設定画面Ｗ２に設けられた適用ボタンＢＴ１が押下された否か（共通パラメータの設定指示の有無）がパラメータ設定部２１によって判断される（ステップＳ１５）。この適用ボタンＢＴ１が押下されていないと判断した場合（判断結果が「ＮＯ」の場合）には、ステップＳ１５の判断が繰り返される。尚、ステップＳ１５の判断が繰り返されている間は、管理者が入力装置２ａを操作して入力ボックスＢＸ１〜ＢＸ３の値を変更することが可能である。
【００３９】
これに対し、適用ボタンＢＴ１が押下されたと判断した場合（ステップＳ１５の判断結果が「ＹＥＳ」の場合）には、図４に示すメイン画面Ｗ１で選択されたフィールド機器１ａ〜１ｃに対し、新たな共通パラメータを順に設定する処理が行われる（ステップＳ１６）。具体的には、まずパラメータ設定部２１から仮想ＤＴＭ２２に対して、図５に示す共通パラメータ設定画面Ｗ２の選択デバイス表示領域Ｒ１１に表示されているフィールド機器に、共通パラメータ表示領域Ｒ１２に設けられた入力ボックスＢＸ１〜ＢＸ３に入力されたパラメータの値を設定する指示がなされる。
【００４０】
かかる指示がなされると、仮想ＤＴＭ２２は、まずＤＴＭ３０ａを制御してフィールド機器１ａに対して新たな共通パラメータを設定させる操作を行わせる。次に、仮想ＤＴＭ２２は、ＤＴＭ３０ｂを制御してフィールド機器１ｂに対して新たな共通パラメータを設定させる操作を行わせ、次いで、ＤＴＭ３０ｃを制御してフィールド機器１ｃに対して新たな共通パラメータを設定させる操作を行わせる。以上により、フィールド機器１ａ〜１ｃに対する共通パラメータの設定が完了する。
【００４１】
以上の通り、本実施形態では、管理制御部１０によって表示されるメイン画面Ｗ１で選択されたフィールド機器に共通パラメータの設定を指示するパラメータ設定部２１と、パラメータ設定部２１の指示に基づいてフィールド機器１ａ〜１ｃ毎に設けられるＤＴＭ３０ａ〜３０ｃを制御して、メイン画面Ｗ１で選択されたフィールド機器に対する共通パラメータの設定を順次実行させる仮想ＤＴＭ２２とを備えている。このため、管理者は共通パラメータを設定するフィールド機器を選択する操作をメイン画面Ｗ１で行い、設定すべき共通パラメータの入力及びその設定指示を共通パラメータ設定画面Ｗ２で行うだけで、複数のフィールド機器に共通するパラメータ（共通パラメータ）を一括して設定することができる。これにより、パラメータを設定する作業の回数が低減するため、管理者の作業ミスを少なくすることができ、その結果としてプラント等の安定性及び効率の向上を図ることができる。
【００４２】
また、上記実施形態では、メイン画面Ｗ１で選択されたフィールド機器で用いられているパラメータを取得して共通パラメータを抽出している。このようにすることで、メイン画面Ｗ１で選択されたフィールド機器の組み合わせ毎に共通パラメータが全く相違するような場合であっても、自動的に共通パラメータが求まるため、共通パラメータの設定を短時間且つ容易に行うことができる。
【００４３】
次に、機器管理装置２に表示される共通パラメータ設定画面の変形例について説明する。図６は、本発明の一実施形態による機器管理装置に表示される共通パラメータ設定画面の第１変形例を示す図である。図５に示した共通パラメータ設定画面Ｗ２は、選択されたフィールド機器に対して値が同じ共通パラメータを一括設定する画面であったが、図６に示す共通パラメータ設定画面Ｗ３は、選択されたフィールド機器毎に異なる値の共通パラメータを設定可能とする画面である。
【００４４】
図６に示す共通パラメータ設定画面Ｗ３には、選択デバイス表示領域Ｒ２１、共通パラメータ表示領域Ｒ２２、及び適用ボタンＢＴ２が設けられている。選択デバイス表示領域Ｒ２１は、図５に示す選択デバイス表示領域Ｒ１１と同様に、図４に示すメイン画面Ｗ１で選択されたフィールド機器が一覧表示される領域であるが、一覧表示されたフィールド機器が管理者の操作によって選択可能である点が異なる。
【００４５】
共通パラメータ表示領域Ｒ２２は、図５に示す共通パラメータ表示領域Ｒ１２と同様に、共通パラメータ抽出部２１ｂで抽出された共通パラメータが表示される領域であるが、選択デバイス表示領域Ｒ２１で選択されたフィールド機器についての共通パラメータが表示される点が異なる。尚、この共通パラメータ表示領域Ｒ２２には、何れのフィールド機器についての共通パラメータが表示されているのかを判別するために、フィールド機器の名称Ｎが表示される。
【００４６】
適用ボタンＢＴ２は、共通パラメータ設定画面Ｗ３の選択デバイス表示領域Ｒ２１で選択されたフィールド機器に対して、共通パラメータ表示領域Ｒ２２に表示されている共通パラメータを設定させる指示を行うためのボタンである。つまり、適用ボタンＢＴ２は、共通パラメータ設定画面Ｗ３の選択デバイス表示領域Ｒ２１で選択されたフィールド機器に対して個別にパラメータを設定させる指示を行うボタンである。尚、図６に示す共通パラメータ設定画面Ｗ３が表示装置２ｂに表示された直後においては、選択デバイス表示領域Ｒ２１に一覧表示されたフィールド機器の何れを選択しても、共通パラメータ表示領域Ｒ２２の表示内容は名称Ｎを除いて同じである。
【００４７】
図６に示す共通パラメータ設定画面Ｗ３が表示装置２ｂに表示されている状態で、管理者が入力装置２ａを操作して選択デバイス表示領域Ｒ２１に一覧表示されたフィールド機器のうちの１つを選択すると、選択されたフィールド機器についての共通パラメータが共通パラメータ表示領域Ｒ２２に表示される。ここで、管理者が、共通パラメータ表示領域Ｒ２２に表示された共通パラメータの値を変更して適用ボタンＢＴ２を押下する操作を行うと、パラメータ設定部２１及び仮想ＤＴＭ２２によって、選択デバイス表示領域Ｒ２１で選択されたフィールド機器のみに対して新たなパラメータの設定が行われる。
【００４８】
次いで、管理者が入力装置２ａを操作して選択デバイス表示領域Ｒ２１で異なるフィールド機器を選択すると、選択されたフィールド機器についての共通パラメータが共通パラメータ表示領域Ｒ２２に表示される。そして、管理者が、共通パラメータ表示領域Ｒ２２に表示された共通パラメータの値を変更して適用ボタンＢＴ２を押下する操作を行えば、パラメータ設定部２１及び仮想ＤＴＭ２２によって、新たに選択されたフィールド機器のみに対して新たなパラメータの設定が行われる。このように、共通パラメータ設定画面Ｗ３では、抽出された共通パラメータについて、フィールド機器毎に異なる値を設定することが可能である。
【００４９】
図７は、本発明の一実施形態による機器管理装置に表示される共通パラメータ設定画面の第２変形例を示す図である。図５，図６に示した共通パラメータ設定画面Ｗ２，Ｗ３は、共通パラメータの設定のみが可能な画面であったが、図７に示す共通パラメータ設定画面Ｗ４は、共通パラメータに加えて共通パラメータ以外のパラメータ（以下、個別パラメータという）の設定を可能とする画面である。
【００５０】
図７に示す共通パラメータ設定画面Ｗ４には、選択デバイス表示領域Ｒ３１、パラメータ表示領域Ｒ３２、及び適用ボタンＢＴ３が設けられている。選択デバイス表示領域Ｒ３１は、図５に示す選択デバイス表示領域Ｒ１１と同様に、図４に示すメイン画面Ｗ１で選択されたフィールド機器が一覧表示される領域である。パラメータ表示領域Ｒ３２は、共通パラメータ又は個別パラメータが表示される領域である。
【００５１】
このパラメータ表示領域Ｒ３２には、選択デバイス表示領域Ｒ３１に一覧表示されたフィールド機器に共通する共通パラメータを表示させるタブＴ１と、それらフィールド機器毎の個別パラメータを表示させるタブＴ１１〜Ｔ１３が設けられている。尚、タブＴ１１〜Ｔ１３の数は、選択デバイス表示領域Ｒ３１に一覧表示されるフィールド機器の数に応じて増減する。適用ボタンＢＴ３は、共通パラメータ設定画面Ｗ４のパラメータ表示領域Ｒ３２に表示されている共通パラメータ又は個別パラメータを設定させる指示を行うためのボタンである。
【００５２】
図７に示す共通パラメータ設定画面Ｗ４が表示装置２ｂに表示されている状態で、管理者が入力装置２ａを操作してパラメータ表示領域Ｒ３２に設けられたタブＴ１を選択すると、選択デバイス表示領域Ｒ３１に一覧表示されたフィールド機器に共通する共通パラメータがパラメータ表示領域Ｒ３２に表示される。ここで、管理者が、パラメータ表示領域Ｒ３２に表示された共通パラメータの値を変更して適用ボタンＢＴ３を押下する操作を行うと、パラメータ設定部２１及び仮想ＤＴＭ２２によって、選択デバイス表示領域Ｒ３１に一覧表示されたフィールド機器に対して新たな共通パラメータの一括設定が行われる
【００５３】
これに対し、管理者が入力装置２ａを操作してパラメータ表示領域Ｒ３２に設けられたタブＴ１１〜Ｔ１３の何れかを選択すると、フィールド機器の個別パラメータがパラメータ表示領域Ｒ３２に表示される。ここで、管理者が、パラメータ表示領域Ｒ３２に表示された個別パラメータの値を変更して適用ボタンＢＴ３を押下する操作を行うと、パラメータ設定部２１及び仮想ＤＴＭ２２によって、選択したタブに応じたフィールド機器のみに対して新たな個別パラメータの設定が行われる。
【００５４】
以上、本発明の一実施形態による機器管理装置及び記録媒体について説明したが、本発明は上述した実施形態に制限されることなく、本発明の範囲内で自由に変更が可能である。例えば、上記実施形態では、有線の通信バスＢを介して通信を行うフィールド機器１ａ〜１ｃの制御を行う機器管理装置２を例に挙げて説明した。しかしながら、本発明は無線のネットワークを介して通信を行うフィールド機器（無線フィールド機器）の管理及び制御を行う機器管理装置にも適用が可能である。
【００５５】
また、上記実施形態では、ＦＤＴ／ＤＴＭ技術を用いた機器管理装置を例に挙げて説明したが、ＥＤＤＬ技術を用いた機器管理装置にも適用可能である。また、上記実施形態では種類及び値が同じパラメータを共通パラメータとして抽出する例について説明したが、種類のみが同じパラメータを共通パラメータとして抽出しても良い。
【００５６】
また、上記実施形態では、機器管理装置２の機能が、記録媒体Ｍに記録されたプログラムをドライブ装置２ｃによって読み出してインストールすることによりソフトウェア的に実現される場合を例に挙げて説明した。しかしながら、インターネット等のネットワークにコンピュータを接続し、記録媒体Ｍに記録されたプログラムと同様のプログラムをネットワークからコンピュータにダウンロード可能にしても良い。コンピュータにダウンロードされたプログラムは、ドライブ装置２ｃを用いてコンピュータ読み取り可能な記録媒体Ｍから読み取る場合と同様にコンピュータにインストールすることができる。尚、機器管理装置２の機能は、ハードウェアにより実現することも可能である。
【符号の説明】
【００５７】
１ａ〜１ｃ        フィールド機器
２                機器管理装置
２ａ              入力装置
２ｂ              表示装置
１０              管理制御部
２１              パラメータ設定部
２１ａ            パラメータ取得部
２１ｂ            共通パラメータ抽出部
２２              仮想ＤＴＭ
３０ａ〜３０ｃ    ＤＴＭ
【図１】
0005699612.tif 000002
【図２】
0005699612.tif 000003
【図３】
0005699612.tif 000004
【図４】
0005699612.tif 000005
【図５】
0005699612.tif 000006
【図６】
0005699612.tif 000007
【図７】
0005699612.tif 000008